(57)【要約】【課題】  鳥を傷めることなく鳥害を抑止し、しかも効果の持続性に優れる低コストの鳥忌避部材を提供する。【解決手段】  平板状・長尺の板材状・シート状又はテープ状の部材表面に鳥が見て嫌がる忌避模様３を形成した鳥忌避部材であって、表面色を黄色系統色にし、縦長の所定幅の領域内にその所定幅とほぼ同じ振幅の仮想波線を位相が異なるように複数設け、各仮想波線上に黒色又は明度の低い色の暗点をその点径が連続的に変化するように且つ隣接する同径の暗点が縦方向の同じ列線上に配置されないようにずらして形成し、その複数の仮想波線に沿って形成した模様を幅方向へ繰り返すように複列に形成する。これを例えば駅の屋根や住宅のベランダに取り付けたり、田畑に張架する。【選択図】  図２
2009089645.tif 000002
【特許請求の範囲】
【請求項１】
平板状・長尺の板材状・シート状又はテープ状の部材表面に鳥が見て嫌がる忌避模様を形成した鳥忌避部材であって、鳥忌避部材の表面色を黄色系統色にし、縦長の所定幅の領域内にその所定幅とほぼ同じ振幅の仮想波線を位相が異なるように複数設け、各仮想波線上に黒色又は明度の低い色の暗点をその点径が連続的に変化するように配置したことを特徴とする、鳥忌避部材。
【請求項２】
複数の仮想波線に沿って形成した模様を幅方向へ繰り返すように複列に形成した、請求項１記載の鳥忌避部材。
【請求項３】
隣接する同径の暗点が縦方向の同じ列線上に配置されないようにずらして形成した、請求項１又は２記載の鳥忌避部材。
【請求項４】
部材が湾曲可能な弾性を有するシートである、請求項１〜３いずれか記載の鳥忌避部材。
【請求項５】
部材が円筒状に巻きぐせを付けたシートである、請求項１〜３いずれか記載の鳥忌避部材。
【発明の詳細な説明】
【技術分野】
【０００１】
本発明は、鳥害を低減する技術に関する。
【背景技術】
【０００２】
従来、住宅や駅等においてハト・カラス・スズメ等による鳥害が問題となっており、対応に苦慮している。鳥害としては糞による建物の汚損、羽毛の飛散、悪臭等があげられる。対応策としては、電気ショックで驚かせる方法（特許文献１参照）、目玉を模した器具で威嚇する方法（特許文献２参照）、臭気を発生させる揮発性薬品で忌避させる方法（特許文献３参照）、鋭利な突起を回転させて撃退する方法（特許文献４参照）、高圧水を噴水して驚かせる方法（特許文献５参照）などがある。
【０００３】
しかしながら、電気ショックの方法・鋭利な突起を回転させる方法・高圧水を噴水する方法は電源等の装置を必要としてコストがかかり、鳥を傷めることもある。目玉を模した器具で威嚇する方法は、時間の経過とともに鳥が慣れて効果に持続性がない。臭気を発生させる揮発性薬品で忌避させる方法は、効果を持続させるために定期的に交換する必要があってコストがかかり、人間にも悪影響を及ぼすことがある。
【特許文献１】特開２００４−３５７５２０号公報
【特許文献２】特開２００１−３７４０３号公報
【特許文献３】特開平１１−１２１０５号公報
【特許文献４】特開平８−３８０２０号公報
【特許文献５】実用新案登録第３０１６１２５号公報
【発明の開示】
【発明が解決しようとする課題】
【０００４】
本発明が解決しようとする課題は、従来のこれらの問題点を解消し、鳥を傷めることなく鳥害を抑止し、しかも効果の持続性に優れる低コストの鳥忌避部材を提供することにある。
【課題を解決するための手段】
【０００５】
かかる課題を解決した本発明の構成は、
１）  平板状・長尺の板材状・シート状又はテープ状の部材表面に鳥が見て嫌がる忌避模様を形成した鳥忌避部材であって、鳥忌避部材の表面色を黄色系統色にし、縦長の所定幅の領域内にその所定幅とほぼ同じ振幅の仮想波線を位相が異なるように複数設け、各仮想波線上に黒色又は明度の低い色の暗点をその点径が連続的に変化するように配置したことを特徴とする、鳥忌避部材
２）  複数の仮想波線に沿って形成した模様を幅方向へ繰り返すように複列に形成した、前記１）記載の鳥忌避部材
３）  隣接する同径の暗点が縦方向の同じ列線上に配置されないようにずらして形成した、前記１）又は２）記載の鳥忌避部材
４）  部材が湾曲可能な弾性を有するシートである、前記１）〜３）いずれか記載の鳥忌避部材
５）  部材が円筒状に巻きぐせを付けたシートである、前記１）〜３）いずれか記載の鳥忌避部材
にある。
【発明の効果】
【０００６】
本発明によれば、鳥の接近を抑止しようとする箇所に設置するだけで、鳥が接近して部材表面の忌避模様を見ると嫌がって近づかなくなり、糞害等の被害を低減できる。また、部材はそれを駆動させる電源等が一切不要であり、部材に直接触れても鳥を傷つけることがなく、人間にも影響はなく、忌避効果の持続性に優れるとともに低コストで実施できる。
【発明を実施するための最良の形態】
【０００７】
本発明では、様々な模様を検討して忌避効果を確認する実験を行った結果、本発明の忌避模様が鳥の抑止効果に最も優れていることを見出したものである。この忌避模様が鳥にとってどのように見えたり影響を与えているかは定かではないが、焦点が合い難い模様又は模様と色が天敵の動物の体の模様に近似する等の理由によるものと思われる。この鳥忌避部材は風などで揺動しなくても、定位置に固定するだけで効果が発揮される。
【０００８】
その他、鳥の接近を検知できるセンサーと動物の泣き声等を再生できる再生装置を併設して忌避効果をより高めてもよく、模様の一部分に夜光塗料や蛍光塗料で表示したり発光装置で発光させるようにしてもよい。本発明でいう黄色系統色は金色も包含するものとする。以下、本発明の各実施例を図面に基づいて具体的に説明する。
【実施例１】
【０００９】
図１〜５に示す実施例１は、部材として湾曲可能な薄物の板材を用い、鉄道の駅の屋根のＨ鋼に取り付けた鳥忌避部材の例である。図１は実施例１の忌避模様の説明図、図２は実施例の忌避模様の拡大図、図３は実施例の仮想波線と暗点の説明図、図４は実施例１の鳥忌避部材の斜視図、図５は実施例１の鳥忌避部材の使用状態を示す説明図である。図中、１は鳥忌避部材、２は部材、２ａは取付片、３は忌避模様、３ａは下地、３ｂは仮想波線、３ｃは暗点、４はＨ鋼である。
【００１０】
実施例１の鳥忌避部材１は、図４に示すように湾曲可能な弾性を示す薄物の長尺の板材からなる部材２の上面全面に忌避模様３を形成し、部材２の長手両側を上方へ折曲して取付片２ａを形成している。忌避模様３は、図１〜３に示すように下地３ａは黄色に形成し、黒色の暗点３ｃの縦の寸法は一定で、横の寸法は各仮想波線３ｂが交わる部分に向かって連続的に小さくなるように形成し、その複数の仮想波線３ｂに沿って形成した模様を横方向へ繰り返すように複列に形成している。この忌避模様３は、人間の目には暗点３ｃの横寸法が大きい部分（暗点３ｃが真円の部分）は膨らんで見え、横寸法が小さい部分（暗点３ｃが楕円の部分）は凹んで見えるように錯覚を起こす。
【００１１】
図５に示すように、この鳥忌避部材１を駅の屋根を構成するＨ鋼４の平坦な部分に幅を合わせるように断面かまぼこ状に湾曲させ、その両側の取付片２ａを図示しないネジやクリップ等で固定するか又は接着して取り付ける。飛来したハトがＨ鋼４に止まろうと接近して鳥忌避部材１を見ると、その忌避模様３を嫌がって近づかなくなり、駅の糞害等が低減される。
【実施例２】
【００１２】
図６に示す実施例２は、部材として木製の平板を用いて建物の壁面に斜めに取り付けた鳥忌避部材の例である。図６は実施例２の鳥忌避部材の使用状態を示す説明図である。図中、５は建物、６は支持部材である。
【００１３】
実施例２の鳥忌避部材１は、木製の平板からなる部材２の表面に実施例１と同じ忌避模様３を形成している。図６に示すように、住宅等の建物５の壁面に支持部材６を水平に取り付け、この支持部材６に鳥忌避部材１を斜めに取り付けている。飛来したハトが建物５に接近して鳥忌避部材１を見ると、その忌避模様３を嫌がって近づかなくなり、建物５の近辺の糞害等が低減される。その他、符号、構成、作用効果は実施例１と同じである。
【実施例３】
【００１４】
図７に示す実施例３は、部材としてテープを用いて住宅のベランダに取り付けた鳥忌避部材の例である。図７は実施例３の鳥忌避部材の使用状態を示す説明図である。図中、７はベランダである。
【００１５】
実施例３の鳥忌避部材１は、テープの表面に実施例１と同じ忌避模様３を形成している。図７に示すように、ベランダ７の手摺に鳥忌避部材１をやや弛ませるように取り付けている。手摺の上端に沿って取り付けてもよい。飛来したハトがベランダ７に止まろうと接近して鳥忌避部材１を見ると、その忌避模様３を嫌がって近づかなくなり、ベランダ７の糞害等が低減される。その他、符号、構成、作用効果は実施例１と同じである。
【実施例４】
【００１６】
図８に示す実施例４は、部材としてテープを用いて田畑に立てた支柱に張架した鳥忌避部材の例である。図８は実施例４の鳥忌避部材の使用状態を示す説明図である。図中、８は支柱、９は作物である。
【００１７】
実施例４の鳥忌避部材１は、テープの表面に実施例１と同じ忌避模様３を形成している。図８に示すように、田畑に立てた２本の竹製の支柱８に鳥忌避部材１を張架している。飛来したハトが田畑の作物９を狙って接近して鳥忌避部材１を見ると、その忌避模様３を嫌がって近づかなくなり、作物９の荒らしの被害が低減される。その他、符号、構成、作用効果は実施例１と同じである。
【実施例５】
【００１８】
図９に示す実施例５は、部材としてテープを用いて住宅のベランダから吊下した鳥忌避部材の例である。図９は実施例５の鳥忌避部材の使用状態を示す説明図である。
【００１９】
実施例５の鳥忌避部材１は、テープの表面に実施例１と同じ忌避模様３を形成している。図９に示すように、２階のベランダ７から３本の鳥忌避部材１を地面に達する長さに吊下している。飛来したハトがベランダ７や屋根、庭に止まろうと接近して鳥忌避部材１を見ると、その忌避模様３を嫌がって近づかなくなり、糞害や花壇の荒らし等の被害が低減される。その他、符号、構成、作用効果は実施例１と同じである。
【実施例６】
【００２０】
図１０に示す実施例６は、忌避模様が形成されたシートを円筒状に巻いて吹流しを形成した鳥忌避部材の例である。図１０は実施例６の鳥忌避部材の説明図である。この鳥忌避部材１を例えば高速道路・空港・気象台などに取り付けると、忌避効果を発揮して糞害等を低減することができる。その他、符号、構成、作用効果は実施例１と同じである。
【実施例７】
【００２１】
図１１に示す実施例７は、忌避模様を形成したテープをパネルに吊下した鳥忌避部材の例である。図１１は実施例７の鳥忌避部材の説明図である。図中、１０はパネル、１１はフックである。この鳥忌避部材１を住宅のベランダに引っ掛けて吊下すると、忌避効果を発揮して糞害等を低減することができる。その他、符号、構成、作用効果は実施例１と同じである。
【実施例８】
【００２２】
図１２に示す実施例８は、忌避模様が形成されたプラスチックシートを円筒状に巻きぐせを付けた鳥忌避部材の例である。図１２は実施例８の鳥忌避部材の使用状態を示す説明図である。図中、１２は配管である。この鳥忌避部材１を配管１２に巻回して取り付けると、忌避効果を発揮して糞害等を低減することができる。その他、符号、構成、作用効果は実施例１と同じである。
【産業上の利用可能性】
【００２３】
本発明の鳥忌避部材は、駅・住宅・バス停・公園等に設置して利用される。
【図面の簡単な説明】
【００２４】
【図１】実施例１の忌避模様の説明図である。
【図２】実施例の忌避模様の拡大図である。
【図３】実施例の仮想波線と暗点の説明図である。
【図４】実施例１の鳥忌避部材の斜視図である。
【図５】実施例１の鳥忌避部材の使用状態を示す説明図である。
【図６】実施例２の鳥忌避部材の使用状態を示す説明図である。
【図７】実施例３の鳥忌避部材の使用状態を示す説明図である。
【図８】実施例４の鳥忌避部材の使用状態を示す説明図である。
【図９】実施例５の鳥忌避部材の使用状態を示す説明図である。
【図１０】実施例６の鳥忌避部材の説明図である。
【図１１】実施例７の鳥忌避部材の説明図である。
【図１２】実施例８の鳥忌避部材の使用状態を示す説明図である。
【符号の説明】
【００２５】
１  鳥忌避部材
２  部材
２ａ  取付片
３  忌避模様
３ａ  下地
３ｂ  仮想波線
３ｃ  暗点
４  Ｈ鋼
５  建物
６  支持部材
７  ベランダ
８  支柱
９  作物
１０  パネル
１１  フック
１２  配管
【図１】
2009089645.tif 000003
【図２】
2009089645.tif 000004
【図３】
2009089645.tif 000005
【図４】
2009089645.tif 000006
【図５】
2009089645.tif 000007
【図６】
2009089645.tif 000008
【図７】
2009089645.tif 000009
【図８】
2009089645.tif 000010
【図９】
2009089645.tif 000011
【図１０】
2009089645.tif 000012
【図１１】
2009089645.tif 000013
【図１２】
2009089645.tif 000014